(57)【要約】【課題】イメージセンサーのカラーフィルターアレイ及びイメージセンサーから出力された信号を補間する方法を提供する。【解決手段】本発明のカラーフィルターアレイは、それぞれが、赤外線領域の波長をフィルタリングするための多数の赤外線フィルターと、多数の第１タイプカラーフィルターと、多数の第２タイプカラーフィルターと、多数の第３タイプカラーフィルターと、を有し、多数の赤外線フィルターのうちの一部は、Ｔ字状に配され、第１タイプカラーフィルターの個数と第２タイプカラーフィルターの個数との和は、第３タイプカラーフィルターの個数と同一である。【選択図】図１
2011085936.tif 000002
【特許請求の範囲】
【請求項１】
それぞれが、赤外線領域の波長をフィルタリング（ｆｉｌｔｅｒｉｎｇ）するための多数の赤外線フィルター（ｆｉｌｔｅｒｓ）と、
多数の第１タイプカラーフィルター（ｔｙｐｅ  ｃｏｌｏｒ  ｆｉｌｔｅｒｓ）と、
多数の第２タイプカラーフィルターと、
多数の第３タイプカラーフィルターと、を有し、
前記多数の赤外線フィルターのうちの一部は、Ｔ字状に配されることを特徴とするイメージセンサーのカラーフィルターアレイ。
【請求項２】
前記第１タイプカラーフィルターの個数と前記第２タイプカラーフィルターの個数との和は、前記第３タイプカラーフィルターの個数と同一であることを特徴とする請求項１に記載のイメージセンサーのカラーフィルターアレイ。
【請求項３】
前記第１タイプカラーフィルターのそれぞれは、レッドフィルター（ｒｅｄ  ｆｉｌｔｅｒ）であり、前記第２タイプカラーフィルターのそれぞれは、ブルーフィルター（ｂｌｕｅ  ｆｉｌｔｅｒ）であり、前記第３タイプフィルターのそれぞれは、グリーンフィルター（ｇｒｅｅｎ  ｆｉｌｔｅｒ）であることを特徴とする請求項１に記載のイメージセンサーのカラーフィルターアレイ。
【請求項４】
前記Ｔ字状は、９０°、１８０°、又は２７０°回転したＴ字状であることを特徴とする請求項１に記載のイメージセンサーのカラーフィルターアレイ。
【請求項５】
それぞれが、可視光をフィルタリングするための多数のホワイトフィルター（ｗｈｉｔｅ  ｆｉｌｔｅｒｓ）と、
多数の第１タイプカラーフィルターと、
多数の第２タイプカラーフィルターと、
多数の第３タイプカラーフィルターと、を有し、
前記多数のホワイトフィルターのうちの一部は、Ｔ字状に配されることを特徴とするイメージセンサーのカラーフィルターアレイ。
【請求項６】
前記第１タイプカラーフィルターの個数と前記第２タイプカラーフィルターの個数との和は、前記第３タイプカラーフィルターの個数と同一であることを特徴とする請求項５に記載のイメージセンサーのカラーフィルターアレイ。
【請求項７】
前記Ｔ字状は、９０°、１８０°、又は２７０°回転したＴ字状であることを特徴とする請求項５に記載のイメージセンサーのカラーフィルターアレイ。
【請求項８】
Ｎ×Ｎ単位マトリックス（ｍａｔｒｉｘ）を含むイメージセンサーから出力された信号を補間する方法であって、
垂直方向又は水平方向に隣接する二つのピクセルから出力された信号を補間する段階と、
対角線方向に隣接する四つのピクセルから出力された信号を補間する段階と、を有することを特徴とするイメージセンサーから出力された信号を補間する方法。
【請求項９】
前記二つのピクセルから出力された信号を補間する段階は、前記二つのピクセルから出力された信号の平均値を計算することを特徴とする請求項８に記載のイメージセンサーから出力された信号を補間する方法。
【請求項１０】
前記四つのピクセルから出力された信号を補間する段階は、前記四つのピクセルから出力された信号の平均値を計算することを特徴とする請求項８に記載のイメージセンサーから出力された信号を補間する方法。
【発明の詳細な説明】
【技術分野】
【０００１】
本発明は、カラーフィルターアレイ（ｃｏｌｏｒ  ｆｉｌｔｅｒ  ａｒｒａｙ）に関しり、より詳細には、物体のカラーイメージ（ｃｏｌｏｒ  ｉｍａｇｅ）情報と物体の深さ（ｄｅｐｔｈ）情報とを同時に検出することができるイメージセンサー（ｉｍａｇｅ  ｓｅｎｓｏｒ）に使われるカラーフィルターアレイ及びイメージセンサーから出力された信号を補間する方法に関する。
【背景技術】
【０００２】
イメージセンサーに使われるカラーフィルターアレイは、物体のカラーイメージ情報を検出するために、可視光のうちの該当する波長を通過させるための多数のカラーフィルターと、物体の深さ情報を検出するために、該当する波長を通過させるための多数の赤外線フィルターとを含む。
【０００３】
物体の深さ情報を検出するためのピクセルの大きさを減少させると、信号対ノイズ（ｓｉｇｎａｌ−ｔｏ−ｎｏｉｓｅ）の比（ｒａｔｉｏ）が減少するので、深さ情報を正確に得にくく、照度の減少による感度（ｓｅｎｓｉｔｉｖｉｔｙ）が減少し得る。
【０００４】
カラーフィルターアレイとそれを含むイメージセンサーにおいて、カラーフィルターアレイを構成する多数のフィルターの分布が均一ではない場合、イメージセンサーは、信号補間のために、特殊なデモザイクアルゴリズム（ｄｅｍｏｓａｉｃ  ａｌｇｏｒｉｔｈｍ）を必要とする。
【発明の概要】
【発明が解決しようとする課題】
【０００５】
本発明は、上記従来の問題点に鑑みてなされたものであって、本発明の目的は、深さ情報を検出するピクセルの大きさを減少せずに、レッドフィルター（ｒｅｄ  ｆｉｌｔｅｒ）、グリーンフィルター（ｇｒｅｅｎ  ｆｉｌｔｅｒ）、及びブルーフィルター（ｂｌｕｅ  ｆｉｌｔｅｒ）の分布が均一なカラーフィルターアレイ及びイメージセンサーから出力された信号を補間する方法を提供することにある。
【課題を解決するための手段】
【０００６】
上記目的を達成するためになされた本発明の一特徴によるイメージセンサーのカラーフィルターアレイは、それぞれが、赤外線領域の波長をフィルタリングするための多数の赤外線フィルターと、多数の第１タイプカラーフィルターと、多数の第２タイプカラーフィルターと、多数の第３タイプカラーフィルターと、を有し、前記多数の赤外線フィルターのうちの一部は、Ｔ字状に配される。
前記第１タイプカラーフィルターの個数と前記第２タイプカラーフィルターの個数との和は、前記第３タイプカラーフィルターの個数と同一である。
前記第１タイプカラーフィルターのそれぞれは、レッドフィルターであり、前記第２タイプカラーフィルターのそれぞれは、ブルーフィルターであり、前記第３タイプフィルターのそれぞれは、グリーンフィルターである。前記Ｔ字状は、９０°、１８０°、又は２７０°回転したＴ字状である。
【０００７】
本発明の他の特徴によるイメージセンサーのカラーフィルターアレイは、それぞれが、可視光をフィルタリングするための多数のホワイトフィルターと、多数の第１タイプカラーフィルターと、多数の第２タイプカラーフィルターと、多数の第３タイプカラーフィルターと、を有し、前記多数のホワイトフィルターのうちの一部は、Ｔ字状に配される。
【０００８】
上記目的を達成するためになされた本発明の一特徴による（Ｎ×Ｎ）単位マトリックスを含むイメージセンサーから出力された信号を補間する方法は、垂直方向又は水平方向に隣接する二つのピクセルから出力された信号を補間する段階と、対角線方向に隣接する四つのピクセルから出力された信号を補間する段階と、を有する。
前記二つのピクセルから出力された信号を補間する段階は、前記二つのピクセルから出力された信号の平均値を計算する。前記四つのピクセルから出力された信号を補間する段階は、前記四つのピクセルから出力された信号の平均値を計算する。前記二つのピクセル又は前記四つのピクセルから出力された信号は、グリーン信号、レッド信号、又はブルー信号である。
【発明の効果】
【０００９】
本発明のカラーフィルターアレイによれば、レッドフィルター、グリーンフィルター、及びブルーフィルターの分布は均一であり、カラーフィルターアレイを含むイメージセンサーは、正確にカラーを再現することができる。
【図面の簡単な説明】
【００１０】
【図１】本発明の一実施形態によるカラーフィルターアレイの平面図を示す。
【図２】図１に示したカラーフィルターアレイを含むピクセルアレイの概略的な断面図を示す。
【図３】本発明の他の実施形態によるカラーフィルターアレイの平面図を示す。
【図４】図３に示したカラーフィルターアレイを含むピクセルアレイの概略的な断面図を示す。
【図５】図１又は図３に示したカラーフィルターアレイを含むピクセルアレイを有するイメージセンサーの一例の概略的なブロック図を示す。
【図６】本発明の一実施形態によるイメージセンサーの補間方法を説明するための概念図である。
【図７】本発明の一実施形態によるイメージセンサーの補間方法を説明するためのフローチャートである。
【図８】図５に示したイメージセンサーを含むイメージ処理装置のブロック図を示す。
【発明を実施するための形態】
【００１１】
以下、本発明のカラーフィルターアレイ及びイメージセンサーの信号補間方法を実施するための形態の具体例を、図面を参照しながら詳細に説明する。
【００１２】
図１は、本発明の一実施形態によるカラーフィルターアレイの平面図を示す。図１を参照すると、カラーフィルターアレイ１００は、多数のカラーフィルターＲ、Ｇ、及びＢと、多数の赤外線フィルターＩＲを含む。一実施形態において、図１に示したカラーフィルターアレイ１００の基本的な配列（又は、パターン（ｐａｔｔｅｒｎ））を維持しながら、各カラーフィルターＲ、Ｇ、及びＢの位置と各赤外線フィルターＩＲの位置は、変更され得る。例えば、ＧとＲとの位置又はＧとＢとの位置が、互いに変わり得る。
【００１３】
カラーフィルターＲ、Ｇ、及びＢのそれぞれが具現される単位面積の大きさと赤外線フィルターＩＲのそれぞれが具現される単位面積の大きさとは同じである。
【００１４】
多数のカラーフィルターは、レッドフィルター（ｒｅｄ  ｆｉｌｔｅｒ）Ｒ、グリーンフィルター（ｇｒｅｅｎ  ｆｉｌｔｅｒ）Ｇ、及びブルーフィルター（ｂｌｕｅ  ｆｉｌｔｅｒ）Ｂを含む。レッドフィルターＲは、可視光領域のうちのレッド領域の波長を通過させ、グリーンフィルターＧは、可視光領域のうちのグリーン領域の波長を通過させ、ブルーフィルターＢは、可視光領域のうちのブルー領域の波長を通過させる。多数の赤外線フィルターＩＲのそれぞれは、赤外線領域の波長を通過させる。
【００１５】
カラーフィルターアレイ１００は、（Ｍ×Ｎ）（ここで、Ｍ＝Ｎ、Ｍ≠Ｎ）マトリックス（ｍａｔｒｉｘ）として具現可能であるが、説明の便宜上、（４×４）マトリックス１０３を単位マトリックスとしてカラーフィルターアレイを説明する。
【００１６】
図１に示したように、カラーフィルターアレイ１００は、（４×４）マトリックス１０３を単位マトリックスとするカラーフィルターアレイであり得る。
【００１７】
図１に示したように、（４×４）マトリックス１０３は、８個の赤外線フィルターＩＲ、２個のレッドフィルターＲ、４個のグリーンフィルターＧ、及び２個のブルーフィルターＢを含み得る。８個の赤外線フィルターＩＲのうちの４個の赤外線フィルターは、Ｔ字状に配され、第１タイプ（ｔｙｐｅ）カラーフィルター、例えば、レッドフィルターＲの個数と、第２タイプカラーフィルター、例えば、ブルーフィルターＢの個数との和は、第３タイプカラーフィルター、例えば、グリーンフィルターＧの個数と同一である。また、レッドフィルターＲとブルーフィルターＢは、互いに隣接して配置される。４個の赤外線フィルターＩＲは、９０°、１８０°、又は２７０°回転したＴ字状に具現可能である。
【００１８】
一実施形態において、レッドフィルターＲは、シアン（ｃｙａｎ）フィルター、イエロ（ｙｅｌｌｏｗ）フィルター、及びマゼンタ（ｍａｇｅｎｔａ）フィルターのうちの何れか一つに代替され、グリーンフィルターＧは、シアンフィルター、イエロフィルター、及びマゼンタフィルターのうちの他の一つに代替され、ブルーフィルターＢは、イエロフィルター、及びマゼンタフィルターのうちの残りの一つに代替され得る。
【００１９】
図２は、図１に示したカラーフィルターアレイを含むピクセルアレイの概略的な断面図を示す。図２には、説明の便宜上、ブルーピクセル２１０、グリーンピクセル２２０、及び赤外線ピクセル２３０を含むフィルターアレイ２００を示している。図１に示したカラーフィルターアレイ１００と、カラーフィルターアレイ１００の下部に具現された光電変換素子は、ピクセルアレイ（ｐｉｘｅｌ  ａｒｒａｙ）を構成する。
【００２０】
ブルーピクセル２１０は、ブルーフィルター２１５及び第１光電変換素子２１７、例えば、第１フォトダイオード（ｐｈｏｔｏ  ｄｉｏｄｅ）を含む。ブルーフィルター２１５は、図１を参照して説明したように、可視光領域のうちのブルー領域の波長を通過させるので、第１光電変換素子２１７は、ブルーフィルター２１５を通過した波長によって光電子を生成する。従って、ブルーピクセル２１０は、ブルー領域の波長に相応するブルーピクセル信号を出力する。
【００２１】
グリーンピクセル２２０は、グリーンフィルター２２５及び第２光電変換素子２２７、例えば、第２フォトダイオードを含む。グリーンフィルター２２５は、図１を参照して説明したように、可視光領域のうちのグリーン領域の波長を通過させるので、第２光電変換素子２２７は、グリーンフィルター２２５を通過した波長によって光電子を生成する。従って、グリーンピクセル２２０は、グリーン領域の波長に相応するグリーンピクセル信号を出力する。
【００２２】
赤外線ピクセル２３０は、赤外線フィルター２３５及び第３光電変換素子２３７を含む。赤外線フィルター２３５は、赤外線領域の波長を通過させる。従って、第３光電変換素子２３７は、赤外線フィルター２３５を通過した波長に相応する光電子を生成する。従って、赤外線ピクセル２３０は、深さ情報に相応する深さ信号を出力する。第３光電変換素子２３７は、フォトゲート（ｐｈｏｔｏｇａｔｅ）として具現することが可能である。
【００２３】
図３は、本発明の他の実施形態によるカラーフィルターアレイの平面図を示す。図１と図３とを参照すると、図３に示したカラーフィルターアレイ１０１が、多数のホワイトフィルター（ｗｈｉｔｅ  ｆｉｌｔｅｒｓ）Ｗを含むことを除けば、図１に示したカラーフィルターアレイ１００と同一である。
【００２４】
図３に示したように、カラーフィルターアレイ１０１は、４×４マトリックス１０４を単位マトリックスとするカラーフィルターアレイであり得る。
【００２５】
図３に示したように、４×４マトリックス１０４は、８個のホワイトフィルターＷ、２個のレッドフィルターＲ、４個のグリーンフィルターＧ、及び２個のブルーフィルターＢを含み得る。８個のホワイトフィルターＷのうちの４個のホワイトフィルターは、Ｔ字状に配され、第１タイプカラーフィルター、例えば、レッドフィルターＲの個数と、第２タイプカラーフィルター、例えば、ブルーフィルターＢの個数との和は、第３タイプカラーフィルター、例えば、グリーンフィルターＧの個数と同一である。また、レッドフィルターＲとブルーフィルターＢは、互いに隣接して配置される。４個のホワイトフィルターは、９０°、１８０°、又は２７０°回転したＴ字状に具現可能である。
【００２６】
一実施形態において、レッドフィルターＲは、シアンフィルター、イエロフィルター、及びマゼンタフィルターのうちの何れか一つに代替され、グリーンフィルターＧは、シアンフィルター、イエロフィルター、及びマゼンタフィルターのうちの他の一つに代替され、ブルーフィルターＢは、イエロフィルター、及びマゼンタフィルターのうちの残りの一つに代替され得る。
【００２７】
図４は、図３に示したカラーフィルターアレイを含むピクセルアレイの概略的な断面図を示す。図４には、説明の便宜上、ブルーピクセル２１１、グリーンピクセル２２１、及びホワイトピクセル２３１を含むフィルターアレイ２０１を示している。
【００２８】
ブルーピクセル２１１は、ブルーフィルター２１６及び第１光電変換素子２１７、例えば、第１フォトダイオードを含む。グリーンピクセル２２１は、グリーンフィルター２２６及び第２光電変換素子２２７、例えば、第２フォトダイオードを含む。ホワイトピクセル２３１は、ホワイトフィルター２３６及び第３光電変換素子２３７、例えば、第３フォトダイオードを含む。透明フィルターとしての機能を行うことができるホワイトフィルター２３５は、可視光を通過させる。従って、第３光電変換素子２３７は、ホワイトフィルター２３６を通過した波長に相応する光電子を生成する。一実施形態において、ホワイトフィルター２３５は、透明フィルター又は赤外線を遮断することができるフィルターとして具現可能である。
【００２９】
図１又は図３に示したように、カラーフィルターアレイ１００又は１０１は、Ｔ字状に配列された赤外線フィルターＩＲ又はホワイトフィルターＷを含む。
【００３０】
図５は、図１又は図３に示したカラーフィルターアレイを含むピクセルアレイを有するイメージセンサーの一例の概略的なブロック図を示す。図５を参照すると、ＣＭＯＳ工程を使って具現可能なイメージセンサー３００は、図１又は図３に示したカラーフィルターアレイ１００又は１０１を含むピクセルアレイ３１０、ローデコーダ（ｒｏｗ  ｄｅｃｏｄｅｒ）３２０、タイミングコントローラ（ｔｉｍｉｎｇｃｏｎｔｒｏｌｌｅｒ：Ｔ／Ｃ）３３０、ＣＤＳ／ＡＤＣ回路３４０、及びインターポレーション回路（ｉｎｔｅｒｐｏｌａｔｉｏｎ  ｃｉｒｃｕｉｔ）３５０を含む。インターポレーション回路３５０は、イメージ信号プロセッサ（ｉｍａｇｅ  ｓｉｇｎａｌ  ｐｒｏｃｅｓｓｏｒ）の一部として具現可能である。
【００３１】
ピクセルアレイ３１０が、図１に示したカラーフィルターアレイ１００を含む場合、ピクセルアレイ３１０は、入射光によってＲＧＢカラー信号（又は、ＲＧＢカラー情報）と深さ信号（又は、深さ情報）とを出力するための多数のピクセルを含む。多数のピクセルのそれぞれは、該当するカラーフィルターのそれぞれを通じて入力された入射光に相応するカラー信号のそれぞれを出力する。
【００３２】
ピクセルアレイ３１０が、図３に示したカラーフィルターアレイ１０１を含む場合、ピクセルアレイ３１０は、入射光によってＲＧＢＷカラー信号を出力するための多数のピクセルを含む。
【００３３】
ローデコーダ３２０は、タイミングコントローラ３３０から出力されたアドレス（ａｄｄｒｅｓｓ）と制御信号に応答して、多数のローのうちの一つのロー（ｒｏｗ）を選択する。
【００３４】
ＣＤＳ／ＡＤＣ回路３４０は、タイミングコントローラ３３０から出力された制御信号に応答して、ピクセルアレイ３１０から出力された信号のそれぞれに対してＣＤＳ（ｃｏｒｒｅｌａｔｅｄ  ｄｏｕｂｌｅ  ｓａｍｐｌｉｎｇ）を行い、ＣＤＳされた信号のそれぞれをアナログ−デジタル変換して、デジタル信号を出力する。デジタル信号は、Ｒ信号、Ｇ信号、Ｂ信号、及び深さ信号を含む。或いは、デジタル信号は、Ｒ信号、Ｇ信号、Ｂ信号、及びホワイト信号を含む。
【００３５】
インターポレーション回路３５０は、ＣＤＳ／ＡＤＣ回路３４０から出力されたデジタル信号に対して、以下の図６と図７とを参照して説明する補間方法によって補間を行い、この補間された信号を出力する。
【００３６】
図６は、本発明の一実施形態によるイメージセンサーの補間方法を説明するための概念図であり、図７は、本発明の一実施形態によるイメージセンサーの補間方法を説明するためのフローチャート（ｆｌｏｗｃｈａｒｔ）である。
【００３７】
図１〜図７を参照して、イメージセンサー３００の補間方法を説明すると、次の通りである。図６に示した３×３マトリックスは、図１又は図３に示した４×４単位マトリックス１０３又は１０４の一部である。図６に示したピクセルアレイ（又は、ピクセルパターン（ｐｉｘｅｌ  ｐａｔｔｅｒｎ））は、説明の便宜上、グリーンピクセルのみを考慮したピクセルアレイである。
【００３８】
インターポレーション回路３５０は、バイリニアデモザイクアルゴリズム（ｂｉｌｉｎｅａｒ  ｄｅｍｏｓａｉｋ  ａｌｇｏｒｉｔｈｍ）を用いて、垂直方向に、又は水平方向に隣接した二つのピクセルから出力された信号、即ち、ＣＤＳ／ＡＤＣ回路３４０から出力された信号の平均値を計算し、この計算された平均値を出力し（ステップＳ１０）、中間ピクセル４０３に対しては、対角線方向に隣接した４個のピクセルから出力された信号、即ち、ＣＤＳ／ＡＤＣ回路３４０から出力された信号の平均値を計算し、この計算された平均値を出力する（ステップＳ２０）。
【００３９】
即ち、インターポレーション回路３５０は、数式１に示したように、垂直方向に隣接した二つのピクセルから出力されたグリーン信号、即ち、ＣＤＳ／ＡＤＣ回路３４０から出力されたグリーン信号Ｇ１１とＧ３１の平均値からピクセル４０１のグリーン信号Ｇ′１を推定する。
【００４０】
【数１】
2011085936.tif 000003
【００４１】
また、インターポレーション回路３５０は、数式２のように、水平方向に隣接した二つのピクセルから出力されたグリーン信号、即ち、ＣＤＳ／ＡＤＣ回路３４０から出力された信号Ｇ１１とＧ１３の平均値からピクセル４０２のグリーン信号Ｇ′２を推定する。
【００４２】
【数２】
2011085936.tif 000004
【００４３】
そして、インターポレーション回路３５０は、数式３のように、対角線方向に隣接した四つのピクセルから出力されたグリーン信号、即ち、ＣＤＳ／ＡＤＣ回路３４０から出力された信号Ｇ１１、Ｇ１３、Ｇ３１、及びＧ３３の平均値からピクセル４０３のグリーン信号Ｇ′３を推定する。
【００４４】
【数３】
2011085936.tif 000005
【００４５】
本発明の一実施形態によるイメージセンサー３００のインターポレーション回路３５０は、測定されたグリーン信号から、対応するピクセルのグリーン信号を推定することができる。
【００４６】
インターポレーション回路３５０は、グリーン信号を推定する方法と同じ方法を用いて、レッド信号、ブルー信号、ホワイト信号、又は深さ信号を推定することができる。
【００４７】
図８は、図５に示したイメージセンサーを含むイメージ処理装置のブロック図を示す。イメージ処理装置（ｉｍａｇｅ  ｐｒｏｃｅｓｓｉｎｇ  ｄｅｖｉｃｅ）又はイメージ撮像装置は、デジタルカメラ（ｄｉｇｉｔａｌ  ｃａｍｅｒａ）、デジタルカメラが内蔵された携帯電話機、又はデジタルカメラを含むあらゆる電子装置を含む。イメージ処理装置は、２次元イメージ情報又は３次元イメージ情報を処理することができる。デジタルカメラは、本発明の一実施形態によるイメージセンサー３００を含む。
【００４８】
イメージ処理装置５００は、イメージセンサー３００、及びイメージセンサー３００の動作を制御するためのプロセッサ（ｐｒｏｃｅｓｓｏｒ）５１０を含み得る。
【００４９】
イメージ処理装置５００は、インターフェース（ｉｎｔｅｒｆａｃｅ：Ｉ／Ｆ）５３０を更に含み得る。インターフェース５３０は、映像表示装置であり得る。また、インターフェース５３０は、入出力装置であり得る。従って、映像表示装置は、プロセッサ５１０の制御下でイメージセンサー３００によって撮像されたイメージをディスプレイする。
【００５０】
イメージ処理装置５００は、イメージセンサー３００によってキャプチャーされた（ｃａｐｔｕｒｅｄ）静止映像又は動画を保存することができるメモリ装置５２０を含み得る。メモリ装置５２０は、不揮発性メモリ装置として具現可能である。不揮発性メモリ装置は、多数の不揮発性メモリセル（ｍｅｍｏｒｙ  ｃｅｌｌｓ）を含み得る。
【００５１】
不揮発性メモリセルは、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、フラッシュメモリ、ＭＲＡＭ（Ｍａｇｎｅｔｉｃ  ＲＡＭ）、スピン伝達トルクＭＲＡＭ（Ｓｐｉｎ−Ｔｒａｎｓｆｅｒ  Ｔｏｒｑｕｅ  ＭＲＡＭ）、Ｃｏｎｄｕｃｔｉｖｅ  ｂｒｉｄｇｉｎｇ  ＲＡＭ（ＣＢＲＡＭ）、ＦｅＲＡＭ（Ｆｅｒｒｏｅｌｅｃｔｒｉｃ  ＲＡＭ）、ＯＵＭ（Ｏｖｏｎｉｃ  Ｕｎｉｆｉｅｄ  Ｍｅｍｏｒｙ）とも呼ばれるＰＲＡＭ（Ｐｈａｓｅ  ｃｈａｎｇｅ  ＲＡＭ）、抵抗メモリ（Ｒｅｓｉｓｔｉｖｅ  ＲＡＭ：ＲＲＡＭ又はＲｅＲＡＭ）、ナノチューブＲＲＡＭ（Ｎａｎｏｔｕｂｅ  ＲＲＡＭ）、ポリマーＲＡＭ（Ｐｏｌｙｍｅｒ  ＲＡＭ：ＰｏＲＡＭ）、ナノ浮遊ゲートメモリ（Ｎａｎｏ  Ｆｌｏａｔｉｎｇ  Ｇａｔｅ  Ｍｅｍｏｒｙ：ＮＦＧＭ）、ホログラフィックメモリ（ｈｏｌｏｇｒａｐｈｉｃ  ｍｅｍｏｒｙ）、分子電子メモリ素子（Ｍｏｌｅｃｕｌａｒ  Ｅｌｅｃｔｒｏｎｉｃｓ  Ｍｅｍｏｒｙ  Ｄｅｖｉｃｅ）、又は絶縁抵抗変化メモリ（ＩｎｓｕｌａｔｏｒＲｅｓｉｓｔａｎｃｅ  Ｃｈａｎｇｅ  Ｍｅｍｏｒｙ）として具現可能である。
【００５２】
以上、図面を参照しながら本発明の実施形態について説明したが、本発明は、上述の実施形態に限定されるものではなく、本発明の技術的範囲から逸脱しない範囲内で多様に変更実施することが可能である。
【符号の説明】
【００５３】
１００、１０１    カラーフィルターアレイ
１０３、１０４    （４×４）マトリックス
２００、２０１    フィルターアレイ
２１０、２１１    ブルーピクセル
２１５、２１６    ブルーフィルター
２１７    第１光電変換素子
２２０、２２１    グリーンピクセル
２２５、２２６    グリーンフィルター
２２７    第２光電変換素子
２３０    赤外線ピクセル
２３１    ホワイトピクセル
２３５    赤外線フィルター
２３６    ホワイトフィルター
２３７    第３光電変換素子
３００    イメージセンサー
３１０    ピクセルアレイ
３２０    ローデコーダ
３３０    タイミングコントローラ（Ｔ／Ｃ）
３４０    ＣＤＳ／ＡＤＣ回路
３５０    インターポレーション回路
５００    イメージ処理装置
５０１    システムバス
５１０    プロセッサ
５２０    メモリ装置
５３０    インターフェース（Ｉ／Ｆ）
【図１】
2011085936.tif 000006
【図２】
2011085936.tif 000007
【図３】
2011085936.tif 000008
【図４】
2011085936.tif 000009
【図５】
2011085936.tif 000010
【図６】
2011085936.tif 000011
【図７】
2011085936.tif 000012
【図８】
2011085936.tif 000013